(57)【特許請求の範囲】
【請求項１】
揮散性薬剤が担持された薬剤担持体と、
前記薬剤担持体を回転させて、遠心力によって前記揮散性薬剤を空間に揮散させる駆動装置と、を備え、
前記薬剤担持体は、円盤状の立体構造体であり、
前記駆動装置を駆動時間と停止時間の比が１：５〜１：２５でかつ１回あたりの駆動時間が１〜５分の条件で間欠的に駆動させ、２０ｍ３以下の空間中における前記揮散性薬剤の有効薬剤濃度を使用開始から使用終了時点まで安定に保持して、クロゴキブリ、又はチャバネゴキブリのこの空間への侵入を防止し、２０日経過後の忌避率が７０％以上となるようになしたことを特徴とするゴキブリ侵入防止用薬剤揮散装置。
【請求項２】
前記駆動装置の駆動時間と停止時間の比が１：１０〜１：２０であることを特徴とする請求項１に記載のゴキブリ侵入防止用薬剤揮散装置。
【請求項３】
前記揮散性薬剤が、ピレスロイド系忌避成分であって、その３０℃における蒸気圧が２×１０−４〜１×１０−２ｍｍＨｇであることを特徴とする請求項１又は２に記載のゴキブリ侵入防止用薬剤揮散装置。
【請求項４】
前記ピレスロイド系忌避成分がエムペントリンであることを特徴とする請求項３に記載のゴキブリ侵入防止用薬剤揮散装置。
【発明の詳細な説明】
【技術分野】
【０００１】
本発明は、揮散性薬剤が担持された薬剤担持体から遠心力又はファンによる風力によって揮散性薬剤を空間に揮散させる駆動装置を備えたゴキブリ侵入防止用薬剤揮散装置に関するものである。
【背景技術】
【０００２】
害虫、例えば蚊やブユなどを駆除するために、薬剤を閉鎖空間（室内や自動車の車内、アウトドアスポーツにおけるテント内など）全体に揮散、放出させる薬剤揮散方法として、熱エネルギーを利用した蚊取線香や電気蚊取マット、液体式電気蚊取(リキッド)が一般的であるが、常温でファン等の風力を利用して薬剤を揮散、放出させる方法も実用化されている。後者の方法は必ずしも交流電源を必要とせず、持ち運びが可能であることから有用であり、本発明者らも特開２００１−２４７４０６号公報（特許文献１）において、ビーズ状の薬剤含浸体を収納するカートリッジをモーターで回転させ、遠心力によって薬剤を効率的に揮散、放出させる薬剤揮散方法を開示した。
また、特開２００６−２５６５５号公報（特許文献２）では、前記ビーズ状の薬剤含浸体の替わりに、三次元方向にメッシュ状を形成している通気層の下側面又は上下両側面に、毛管現象によって薬剤液を保持できる程度の隙間を有する薬剤保持層を設けてなるシート状の薬剤担持体を用いた薬剤揮散装置を提案した。そして、特許文献１及び特許文献２のいずれのタイプにおいても、薬剤の実用的な揮散性能や殺虫効果に優れたものであった。
【０００３】
ところで、薬剤担持体にファンによる風を当てて薬剤を揮散させる薬剤揮散装置において、駆動時間と休止時間を交互に設定し、間欠的に薬剤を揮散させて、駆動電源の節約と揮散する薬剤の効率使用を図る試みも提案されている。例えば、特開平１１−３０８９５５号公報（特許文献３）には、洋服タンスやクローゼットのような収納空間で、送風期間よりも１０倍以上長い送風休止期間を設定した薬剤揮散装置を用いる衣料害虫防除方法が記載されている。
一方、特開２００１−２９２６８１号公報（特許文献４）は、居住空間の蚊等の防除に適用され、停止時間を駆動時間の９倍以下に設定したファン式害虫防除装置を開示する。また、特開２００６−２５７１０５号公報（特許文献５）においては、エムペントリンを含有するハニカム状の薬剤担持体を取り付けたファン型薬剤揮散装置につき、２４ｍ３の室内で１２時間断続運転を繰り返したところ、運転１２時間中のエムペントリン揮散量が１０〜２０ｍｇ／ｈで、エムペントリン気中濃度が１００〜２００μｇ／ｍ３であったことが記載されている（この場合、運転休止１２時間中にエムペントリン気中濃度は殆どゼロ近くまで低下するものと推測される）。そして、２時間送風、１０分間休止の条件であれば、連続運転に匹敵するエムペントリン気中濃度（１００〜２００μｇ／ｍ３）が得られるとしている。
【０００４】
しかしながら、特許文献４又は特許文献５の薬剤揮散装置は、主として蚊等の飛翔害虫の駆除（ノックダウン、致死）を目的としたもので、人が居る空間で高い有効薬剤濃度を８〜１２時間単位で保持する必要がある。この場合、有効薬剤濃度を高濃度に設定すれば、効力的には問題ないが安全性の面で支障を生じる恐れが避けられない。
かかる状況下で、ゴキブリのような匍匐害虫を駆除できなくても、部屋に侵入するのを長期間にわたり継続して防止できれば良いといったタイプの製剤を求めるニーズも高まっている。
後者のタイプの製剤、即ち、遠心力やファン等の風力を利用して薬剤を空間に揮散させるゴキブリ侵入防止用薬剤揮散装置を開発するにあたっては、以下の条件、（１）駆除用途と較べると低濃度であっても、適用される空間においてゴキブリ等を寄せ付けない有効薬剤濃度を長期間、例えば数週間にわたり安定して保持できること、（２）薬剤気中濃度は人やペット等に対して安全性の問題を生じないこと、（３）駆動電源の節約のため、駆動時間に較べて休止時間の長い間欠駆動を実現できること、が要請される。
このように、ゴキブリ侵入防止用薬剤揮散装置は、特許文献３ないし特許文献５に記載された薬剤揮散装置とは製品設計や仕様が全く異なるためその技術内容は参考とならず、未だ製品化に至っていないのが現状である。
【先行技術文献】
【特許文献】
【０００５】
【特許文献１】特開２００１−２４７４０６号公報
【特許文献２】特開２００６−２５６５５号公報
【特許文献３】特開平１１−３０８９５５号公報
【特許文献４】特開２００１−２９２６８１号公報
【特許文献５】特開２００６−２５７１０５号公報
【発明の概要】
【発明が解決しようとする課題】
【０００６】
本発明は、ゴキブリに代表される匍匐害虫の部屋等への侵入防止を目指した薬剤揮散装置であり、長期間にわたり揮散性薬剤を間欠的に揮散させるにも拘わらず、その周囲の空間において比較的低濃度な有効薬剤濃度を使用期間中安定して保持しゴキブリ等のこの空間への侵入を防止できると共に、人やペットに対する安全性に優れ、しかも駆動電源の節約の点でも有利なゴキブリ侵入防止用薬剤揮散装置を提供することを目的とする。
【課題を解決するための手段】
【０００７】
本発明は、以下の構成が上記目的を達成するために優れた効果を奏することを見出したものである。
（１）揮散性薬剤が担持された薬剤担持体と、前記薬剤担持体を回転させて、遠心力によって前記揮散性薬剤を空間に揮散させる駆動装置と、を備え、前記駆動装置を駆動時間と停止時間の比が１：５〜１：２５でかつ１回あたりの駆動時間が１〜５分の条件で間欠的に駆動させ、２０ｍ３以下の空間中における前記揮散性薬剤の有効薬剤濃度を使用開始から使用終了時点まで安定に保持して、ゴキブリのこの空間への侵入を防止し、２０日経過後の忌避率が７０％以上となるようになしたゴキブリ侵入防止用薬剤揮散装置。
（２）前記駆動装置の駆動時間と停止時間の比が１：１０〜１：２０である（１）に記載のゴキブリ侵入防止用薬剤揮散装置。
（３）前記揮散性薬剤が、ピレスロイド系忌避成分であって、その３０℃における蒸気圧が２×１０−４〜１×１０−２ｍｍＨｇである（１）又は（２）に記載のゴキブリ侵入防止用薬剤揮散装置。
（４）前記ピレスロイド系忌避成分がエムペントリンである（３）に記載のゴキブリ侵入防止用薬剤揮散装置。
【発明の効果】
【０００８】
本発明のゴキブリ侵入防止用薬剤揮散装置は、長期間にわたり揮散性薬剤を間欠的に揮散させるにも拘わらず、その周囲の空間において比較的低濃度な有効薬剤濃度を使用期間中安定して保持しゴキブリ等のこの空間への侵入を防止できると共に、人やペットに対する安全性に優れ、しかも駆動電源の節約の点でも有利なので、その実用性は極めて高い。
【発明を実施するための形態】
【０００９】
本発明で用いられる揮散性薬剤としては、揮散性に優れた忌避成分、抗菌成分、防虫香料等があげられる。忌避成分としては、エムペントリンや一般式（Ｉ）
【化１】
0006348091.tif 000002
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた常温揮散性のピレスロイド系忌避成分が好適である。これらの化合物は、その３０℃における蒸気圧が２×１０−４〜１×１０−２ｍｍＨｇであって、従来のアレスリン及びプラレトリンに比べて蒸気圧が高い。蚊、ハエ、ブユ、ユスリカなどの害虫に対する殺虫効力に優れているため、通常、ピレスロイド系殺虫剤と称されているが、ゴキブリ等の匍匐害虫に対する忌避効力にも優れている。なお、化合物の酸成分において、不斉炭素に基づく光学異性体や幾何異性体が存在する場合、それらの各々や任意の混合物も本発明に包含されることはもちろんである。
【００１０】
一般式（Ｉ）で表される化合物の具体例としては、２，３，５，６−テトラフルオロベンジル−２，２−ジメチル−３−（２，２−ジクロロビニル）シクロプロパンカルボキシレート（以後、トランスフルトリンと称す）、４−メチル−２，３，５，６−テトラフルオロベンジル−２，２−ジメチル−３−（１−プロペニル）シクロプロパンカルボキシレート（以後、プロフルトリンと称す）、４−メトキシメチル−２，３，５，６−テトラフルオロベンジル−２，２−ジメチル−３−（１−プロペニル）シクロプロパンカルボキシレート（以後、メトフルトリンと称す）、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、４−メチル−２，３，５，６−テトラフルオロベンジル−クリサンテマート（以後、化合物Ｃと称す）、４−メチル−２，３，５，６−テトラフルオロベンジル−２，２−ジメチル−３−（２，２−ジフルオロビニル）シクロプロパンカルボキシレート（以後、化合物Ｄと称す）、４−メトキシメチル−２，３，５，６−テトラフルオロベンジル−クリサンテマート（以後、化合物Ｅと称す）、２，３，４，５，６−ペンタフルオロベンジル−２，２−ジメチル−３−（２−クロロ−２−トリフルオロメチルビニル）シクロプロパンカルボキシレート（以後、化合物Ｆと称す）、４−プロパルギル−２，３，５，６−テトラフルオロベンジル−２，２−ジメチル−３−（１−プロペニル）シクロプロパンカルボキシレート（以後、化合物Ｇと称す）、４−メチル−２，３，５，６−テトラフルオロベンジル−２，２−ジメチル−３−ビニルシクロプロパンカルボキシレート（以後、化合物Ｈと称す）、２，３，５，６−テトラフルオロベンジル−２，２，３，３−テトラメチルシクロプロパンカルボキシレート（以後、化合物Ｉと称す）、又は４−メトキシメチル−２，３，５，６−テトラフルオロベンジル−２，２，３，３−テトラメチルシクロプロパンカルボキシレート（以後、化合物Ｊと称す）をあげることができる。
上記化合物のなかでは、エムペントリンが性能的に好ましい。
【００１１】
他の揮散性薬剤としては、例えば、ディート、ｐ−メンタン−３，８−ジオール、ジメチルフタレート、２−エチル−１，３−ヘキサンジオール等の忌避成分、ヒノキチオール、テトラヒドロリナロール、オイゲノール、アリルイソチオシアネート等の抗菌成分、シトロネラ油、オレンジ油、レモン油、ライム油、ユズ油、ラベンダー油、ペパーミント油、ユーカリ油、ジャスミン油、檜油、緑茶精油、リモネン、α−ピネン、シトロネラール、テルピネオール、リナロール、ゲラニオール、フェニルエチルアルコール、アミルシンナミックアルデヒド、クミンアルデヒド、ベンジルアセテート等の防虫香料等があげられる。
また、前記成分に加え、殺虫成分、消臭成分、芳香成分、例えば、「緑の香り」と呼ばれる青葉アルコールや青葉アルデヒド配合の香料成分などを適宜配合しても構わない。
【００１２】
本発明のゴキブリ侵入防止用薬剤揮散装置は、長期間にわたり揮散性薬剤を間欠的に揮散させるにも拘わらず、その周囲の空間において比較的低濃度な有効薬剤濃度を使用期間中安定して保持し、ゴキブリ等のこの空間への侵入を防止できるようになしたことに特徴を有する。
ところで、従来の間欠式薬剤揮散装置としては、特開平１１−３０８９５５号公報（特許文献３）に開示されている如く、洋服タンスやクローゼットのような収納空間で、送風期間よりも１０倍以上長い送風休止期間を設定した薬剤揮散装置がある。特許文献３は、１２時間おきに５分間運転する具体例（駆動時間と停止時間の比が１：１４４）を示しているが、これは洋服タンスやクローゼットのような密閉性の高い小空間では、一旦小空間の薬剤濃度を高めておけば停止時間を長くしても薬剤濃度の低下が小さいためである。
【００１３】
一方、特開２００１−２９２６８１号公報（特許文献４）に記載されているように、居住空間の蚊等の防除に適用され、停止時間を駆動時間の９倍以下に設定したファン式害虫防除装置等も知られている。特許文献４の場合、２５ｍ３程度の居住空間で蚊駆除用に使用するため、停止時間を駆動時間の９倍以下に設定して有効薬剤濃度の低下を補うことを発明の趣旨とする。そして、明細書の段落［００１７］において、「・・・１時間駆動し２時間停止したり、または１０分駆動し３０分停止したり、３０秒駆動し２０秒停止したりしても良い。」と記載しているように、駆動時間が１０分以内の場合は、有効薬剤濃度を確保するうえで、駆動時間と停止時間の比を更に小さく（１：３以下）設定する必要性を示している。
【００１４】
更に、特開２００６−２５７１０５号公報（特許文献５）においては、エムペントリンを含有するハニカム状の薬剤担持体を取り付けたファン型薬剤揮散装置につき、２４ｍ３の室内で１２時間断続運転を繰り返したところ、運転１２時間中のエムペントリン揮散量が１０〜２０ｍｇ／ｈで、エムペントリン気中濃度が１００〜２００μｇ／ｍ３であったことが記載されている。そして、２時間送風、１０分間休止の条件であれば、連続運転に匹敵するエムペントリン気中濃度（１００〜２００μｇ／ｍ３）が得られるとしている。即ち、蚊等の駆除効果を目的としたエムペントリン薬剤揮散装置の場合、有効薬剤濃度が１００〜２００μｇ／ｍ３レベルであって、間欠駆動を採用するとしても、休止時間を送風時間に較べて短くしなければ実現できないとの認識がこれまで一般的であった。
【００１５】
しかるに、本発明者らは、蚊駆除用とは別に、ゴキブリ等の部屋への侵入を防止する方法を鋭意検討した結果、特定の駆動時間／停止時間の比と、１回あたりの特定の駆動時間を設定したうえで間欠的に駆動させれば、該空間中における揮散性薬剤の有効薬剤濃度を使用開始から使用終了時点まで安定に保持し、ゴキブリのこの空間への侵入を防止できうることを見出した。即ち、駆動時間と停止時間の比が１：５〜１：３０、好ましくは１：１０〜１：２０で、かつ１回あたりの駆動時間が０．５〜５分の条件を採用することによって、ゴキブリ侵入防止のための有効薬剤濃度を長期間にわたり確保できることを認め、本発明を完成したものである。
なお、揮散性薬剤の有効薬剤濃度は使用する揮散性薬剤の種類によって異なるので、必要ならば設置するゴキブリ侵入防止用薬剤揮散装置の個数を増減させて適宜調整すればよい。かかるゴキブリ侵入防止用薬剤揮散装置の性能や仕様は、実際に試験を実施してみなければ知得しえず、特許文献３ないし特許文献５のような従来技術の単なる設計変更に当たらないことは明らかである。
【００１６】
本発明のゴキブリ侵入防止用薬剤揮散装置に適用される薬剤担持体の素材としては、プラスチック製繊維、天然繊維、無機質製繊維の織布又は不織布や、パルプ、レーヨン、ビスコース等のセルロース基材、無機質粉などがあげられる。なかでも、プラスチック製繊維、例えば、ポリエステル（ポリエチレンテレフタレート、ポリブチレンテレフタレートなど）、ポリアミド、アクリル繊維、ポリエチレン、ポリプロピレン等を用いて多孔質シート、ネット、立体構造体などに形成したり、セルロース基材をシート状、ハニカム状、あるいはビーズ状となして、揮散性薬剤が担持される担体を構成するのが好ましい。
【００１７】
本発明では、かかる担体全体に揮散性薬剤を１００ｍｇ〜２ｇ程度担持させるが、必要ならば、揮散性薬剤と共に、溶剤、安定剤、揮散調整剤、界面活性剤、着色剤などを適宜配合することができる。溶剤としては、ｎ−パラフィン、イソパラフィンなどの炭化水素系溶剤、プロピレングリコール、１，３−ブチレングリコール、ジプロピレングリコールなどのグリコール系溶剤、アルコール系溶剤、ケトン系溶剤、エステル系溶剤などがあげられ、安定剤としては、ＢＨＴ、ＢＨＡなどを例示できるがこれらに限定されない。ステアリン酸ブチルやミリスチン酸イソプロピルは、本発明で揮散調整剤としての作用を示すことがあり、また、色彩の付加は商品価値を高めるだけでなく、揮散性薬剤の揮散終点を明瞭に視認させるインジケーターとしても使用可能である。
薬剤担持体を調製するに際しても、その担持方法は何ら限定されず、分注方式、含浸方式、スプレー方式等、公知の従来技術を適宜採用すればよい。
【００１８】
本発明のゴキブリ侵入防止用薬剤揮散装置は、薬剤担持体を回転させる方式、又は載置した薬剤担持体にファンによる風を当てる方式のいずれも採用可能である。より高い薬剤揮散性能が得られる点で前者の方式が好ましく、具体的な形態として、例えば、薬剤担持体を薬剤カートリッジに収納し、これを薬剤揮散装置に設置して回転せしめるタイプがあげられる。この場合、環状の薬剤カートリッジはその中心に軸受部を有し、これが回転駆動装置（モーター）の回転軸と嵌合しうるようになっている。
モーターの仕様としては、ＤＣ１．５Ｖ〜６．０Ｖ駆動で、５００〜３０００ｒｐｍの回転数を与えるものが適当である。回転数を上げれば揮散性薬剤の揮散量を増大させることができるが、揮散性薬剤の飛び散りを生じる恐れもあるので、最適な回転数は種々検討のうえ決定する必要がある。
【００１９】
一方、載置した薬剤担持体にファンによる風を当てる方式の場合、ファンの形態としては、薬剤担持体に送風する軸流ファンであっても、又は吸気タイプのロータリーファンであっても構わない。いずれにおいても、ファンによって生ずる空気流に乗って、薬剤担持体から揮散性薬剤が拡散する。
【００２０】
本発明の薬剤揮散装置には、吸気口、排気口が備えられ、更にスイッチオンを示すパイロットランプ、駆動条件を制御するようにプログラミングしたマイコン等を別途装填するのが好ましい。但し、シンプルな構造が実用的であり、薬剤担持体の装着は使用の都度取替え可能とするのが便利である。
【００２１】
こうして得られた本発明のゴキブリ侵入防止用薬剤揮散装置は、特定の駆動時間／停止時間の比と、１回あたりの特定の駆動時間を設定したうえで間欠的に駆動させることによって、該空間中における揮散性薬剤の有効薬剤濃度を使用開始から使用終了時点まで長期間にわたり安定して保持し、ゴキブリ等のこの空間への侵入を防止できると共に、人やペットに対する安全性に優れ、しかも駆動電源の節約の点でも有利なので、その実用性は極めて高い。
本発明のゴキブリ侵入防止用薬剤揮散装置が対象とする害虫としては、屋内でのゴキブリ類が主体であり、他の効果的な匍匐害虫としては、トコジラミ、アリ類、コクゾウ、シバンムシ等があげられる。なお、蚊や蚋、ハエ類、コバエ類、ユスリカ類等の飛翔害虫に対し、前記匍匐害虫類に対するのと同様、駆除効果は期待できないものの周辺の虫よけ効果は十分奏し得るものである。
【００２２】
次に、具体的実施例ならびに試験例に基づいて、本発明のゴキブリ侵入防止用薬剤揮散装置を更に詳細に説明するが、本発明はこれらに限定されるものではない。
【実施例１】
【００２３】
直径６０ｍｍで厚みが８ｍｍの円盤状のポリエステル製立体構造体に、エムペントリン０．４ｇと安定剤としてのジブチルヒドロキシトルエン０．０２ｇを含むケロシン溶液１．０ｇを担持させ、これを薬剤カートリッジに収納した。この薬剤カートリッジの軸受部を回転駆動装置（モーター回転数：１０００ｒｐｍ）の回転軸と嵌合させ、駆動時間と停止時間の比が１：１４でかつ１回あたりの駆動時間が１分である、間欠駆動式の本発明のゴキブリ侵入防止用薬剤揮散装置を調製した。
この薬剤揮散装置を台所（約２０ｍ３）の隅に置いて３０日間にわたり継続使用した。この間、エムペントリンの１時間あたりの平均揮散量は約０．３ｍｇで、また薬剤気中濃度はほぼ０．０２μｇ／ｍ３で安定して推移し、ゴキブリやアリ等の匍匐害虫が台所に侵入することはなかった。
【実施例２】
【００２４】
実施例１に準じ、表１に示す各種ゴキブリ侵入防止用薬剤揮散装置を調製し、忌避効力試験を行った。なお、モーターの回転数はいずれも１２００ｒｐｍとした。結果を併せて表１に示す。
［忌避効力試験］
２．５×２ｍのフィールドにクロゴキブリ成虫（♂、♀）又はチャバネゴキブリ成虫（♂、♀）を３０匹放ち、フィールド内に水、固形飼料、及び５００Ｌ容器（容器片方の側面に幅１ｃｍのスリット開口部を５個所設置）を置き馴化させた。容器内に潜伏しているゴキブリ数を計数した後、容器内を水拭きして清潔にし、フィールド内に戻した。各ゴキブリ侵入防止用薬剤揮散装置を所定の位置に置き、経時的に容器内に潜伏したゴキブリ数を計え、下記の式に従って忌避率を算出した。
忌避率（％）＝［処理前の潜伏虫数−処理後の潜伏虫数］／処理前の潜伏虫数×１００
【００２５】
【表１】
0006348091.tif 000003
【００２６】
試験の結果、本発明のゴキブリ侵入防止用薬剤揮散装置は、長期間にわたり実用的なゴキブリ忌避効果を示し、薬剤揮散装置設置空間へのゴキブリの侵入を防止し得ることが認められた。従って、薬剤揮散装置の駆動時間と停止時間の比が１：５〜１：３０、好ましくは１：１０〜１：２０で、かつ１回あたりの駆動時間が０．５〜５分の条件で間欠的に駆動させることの有用性が実証された。
これに対し、比較例１のように、駆動時間に較べて停止時間を所定比率以上に長くすると、忌避効果を示すのに必要な薬剤有効濃度が安定して得られず、一方、停止時間を所定比率より短くすると、忌避効果は十分ながら、人やペットに対する安全性や駆動電源の節約の観点に照らし好ましくなかった。
【実施例３】
【００２７】
縦４０ｍｍ、横６０ｍｍで厚みが２ｍｍのポリエステル製不織布に、メトフルトリン０．２ｇ、安定剤としてのジブチルヒドロキシトルエン０．０１ｇと「緑の香り」と称する香料成分０．０１ｇを含むケロシン溶液０．４ｇを担持させて薬剤担持体とした。これを回転駆動装置（モーター回転数：１３００ｒｐｍ）の吸気口とファンの間に設置し、ファンによる風を当てて薬剤を揮散させるタイプであって、駆動時間と停止時間の比が１：１２でかつ１回あたりの駆動時間が２分である、間欠駆動式の本発明のゴキブリ侵入防止用薬剤揮散装置を調製した。
この薬剤揮散装置を物置（約２４ｍ３）の入口に置いて３０日間にわたり継続使用したところ、実施例１［薬剤担持体を回転させるタイプ］と同様に、ゴキブリ等の匍匐害虫の物置への侵入を防止することができた。
【産業上の利用可能性】
【００２８】
本発明のゴキブリ侵入防止用薬剤揮散装置は、害虫防除分野だけでなく、例えば、芳香、消臭分野などの、薬剤を揮散させる分野においても実用化が可能である。